(57)【要約】【課題】電気的なクロストークの補正データと光学的なクロストークの補正データをサブ画素のＲＧＢ別に分離して、容易に電気ＬＵＴと光学ＬＵＴを取得することができ、更に、補正データを０にする階調の基準が異なってもその分離方法を適用することができる。【解決手段】サブ画素が交互に隣接した第１画像と第２画像をスリットの遮光により夫々異なる視方向に判別可能に表示する液晶表示モジュールの電気補正テーブルと光学補正テーブルを取得するクロストーク補正テーブル取得装置１０であって、補正対象のサブ画素が第１画像であるとき、液晶表示パネルに表示された第１画像の光学特性を測定する光学測定器と、光学測定器で測定される液晶表示パネルの領域内の第２画像のＲＧＢ３色のサブ画素の階調中１色のみのサブ画素の階調を基準値以外で表示させる制御部１４を備えた。【選択図】  図１２
2010197926.tif 000002
【特許請求の範囲】
【請求項１】
ＲＧＢ３つで一つの画素を構成するサブ画素が交互に隣接した第１画像と第２画像をス
リットの遮光により夫々異なる視方向に判別可能に表示する液晶表示パネルに生じる電気
的なクロストークと光学的なクロストークを補正するために、補正対象のサブ画素の階調
と隣接サブ画素の階調に対応した補正データからなる電気補正テーブルと、補正対象のサ
ブ画素の階調と隣接画素の同色のサブ画素に対応した補正データからなる光学補正テーブ
ルが設けられ、補正対象のサブ画素の階調に前記電気補正テーブルの補正データに基づく
階調と前記光学補正テーブルの補正データに基づく階調が加算されることによりクロスト
ーク補正を行うクロストーク補正部の前記電気補正テーブルと前記光学補正テーブルを取
得するクロストーク補正テーブル取得装置において、
補正データを０とする階調の基準値をそれぞれの補正対象のサブ画素の階調に対して隣
接サブ画素の階調と隣接画素の同色のサブ画素の階調に設定し、補正対象のサブ画素の光
学特性がこの基準値のときの光学特性との誤差が小さくなるように階調が補正される前記
電気補正テーブルおよび前記光学補正テーブルであって、
補正対象のサブ画素が前記第１画像であるとき、前記液晶表示パネルに表示された前記
第１画像の光学特性を測定する光学測定器と、該光学測定器で測定される前記液晶表示パ
ネルの領域内の前記第２画像のＲＧＢ３色のサブ画素の階調中１色のみのサブ画素の階調
を前記基準値以外で表示させる制御部を備えたことを特徴とするクロストーク補正テーブ
ル取得装置。
【請求項２】
補正対象のサブ画素の階調がｉ１で隣接サブ画素の階調と隣接画素の同色のサブ画素の
階調がｉ２であるときの前記電気補正テーブルの補正データＨ１（ｉ１、ｉ２）と前記光
学補正テーブルの補正データＨ２（ｉ１、ｉ２）を取得するとき、
前記光学測定器が測定する領域内の、前記第１画像のＲＧＢ全サブ画素の階調がｉ１で
、前記第２画像のＲＧＢ全サブ画素の階調が前記第１画像の階調ｉ１に対応する前記基準
値Ｂ（ｉ１）のときの前記第１画像の輝度を標準輝度ｋ１（ｉ１）として、また、そのと
きの前記第１画像のｕ'ｖ'色度座標を標準ｕ'ｖ'色度座標ｕ'（ｉ１）、ｖ'（ｉ１）とし
て記憶する記憶回路を備え、
前記制御部は、前記第２画像のＲＧＢ全サブ画素の階調をｉ２にさせ、第１画像のサブ
画素の階調をＲＧＢ全て同じ値ｈで変化させることにより前記第１画像の輝度が前記標準
輝度ｋ１（ｉ１）に最も近い第１画像の輝度となる補正データｈを求め、この補正データ
ｈを前記電気補正テーブルの補正データＨ１（ｉ１、ｉ２）と前記光学補正テーブルの補
正データＨ２（ｉ１、ｉ２）の合計とし、
前記制御部は、前記第２画像のＲＧＢ３色中１色のサブ画素の階調をｉ２にさせ、残り
の２色のサブ画素の階調を前記基準値Ｂ（ｉ１）にさせ、前記階調ｉ２のサブ画素が隣接
サブ画素となる第１画像のサブ画素の階調をｈ１変化させ、且つ、前記階調ｉ２のサブ画
素が隣接画素の同色サブ画素となる第１画像のサブ画素の階調をｈ−ｈ１＝ｈ２変化させ
ることにより前記第１画像のｕ'ｖ'色度座標が前記標準ｕ'ｖ'色度座標ｕ'（ｉ１）、ｖ'
（ｉ１）に最も近い第１画像の輝度となるｈ１とｈ２を求めて、ｈ１を前記電気補正テー
ブルの補正データＨ１（ｉ１、ｉ２）とし、ｈ２を前記光学補正テーブルの補正データＨ
２（ｉ１、ｉ２）として前記記憶回路に記憶させることを特徴とする請求項１に記載のク
ロストーク補正テーブル取得装置。
【請求項３】
前記補正データを０にする基準値は隣接サブ画素及び隣接画素の同色サブ画素が白表示
となる階調であることを特徴とする請求項１に記載のクロストーク補正テーブル取得装置
。
【請求項４】
前記補正データを０にする基準値は隣接サブ画素及び隣接画素の同色サブ画素の階調と
補正対象のサブ画素の階調が同じになる階調であることを特徴とする請求項１に記載のク
ロストーク補正テーブル取得装置。
【発明の詳細な説明】
【技術分野】
【０００１】
本発明は、サブ画素が交互に隣接した第１画像と第２画像をスリットの遮光により夫々
異なる視方向に判別可能に表示する液晶表示パネルに用いられる電気的なクロストーク補
正テーブルと光学的なクロストーク補正テーブルを取得するクロストーク補正テーブル取
得装置に関する。
【背景技術】
【０００２】
液晶表示パネルはＣＲＴ（Cathode Ray Tube：陰極線管）と比較して軽量、薄型、低消
費電力という特徴があるため、表示用として多くの電子機器に使用されている。液晶表示
パネルの入力電圧と輝度の関係は、テレビジョン放送の伝送上の都合やＣＲＴとの特性の
差や人間の目の特性から、一般的にγ値を２．２として、輝度を入力電圧のγ乗の明るさ
で表示するようにしている。液晶表示パネルに印加する電圧は階調度に応じた値であり、
アナログ電圧で液晶分子のツイスト量を制御して所定の階調度で画像を表示する。階調度
の数は、液晶表示パネルによって異なり、例えば１２８階調、６４階調、３２階調などが
あり、それぞれ、７ビット、６ビット、５ビットのデジタル信号で表現されている。
【０００３】
液晶表示パネルにおいては、所定の階調の電圧が印加されても隣接サブ画素の階調が異
なるときは電気的なクロストークが発生して、異なる輝度になることがある。この電気的
なクロストークの原因は、走査線の電圧が切り替わることに伴って発生したスパイクが、
画素に印加されている電圧実効値を変動させるためと考えられている。特に、立体画像を
表示するためや運転席と助手席に異なる画像を表示するために開発された２画面表示用の
液晶表示パネルにおいては、隣接サブ画素に異なる画像が入力されるために、電気的なク
ロストークが多く発生する。
【０００４】
このため、液晶表示パネルを使用する液晶表示装置は、電気的なクロストーク補正を行
った電圧を液晶表示パネルに印加するようにしている。この補正方法は、下記特許文献１
に開示されているように、設計者は予め被補正サブ画素の各階調と隣接サブ画素の各階調
の全組み合わせの補正データを実験で求めて電気な補正テーブル（以降、「補正テーブル
」をＬＵＴ（Lookup Table）と称する）を作成して液晶表示装置のＥＥＰＲＯＭなどに記
憶させておく。液晶表示装置は、補正サブ画素の階調と隣接サブ画素の階調に対応する補
正データを電気的なＬＵＴから読み取り、これを補正サブ画素の階調に加算して液晶表示
パネルに出力するようにしている。
【０００５】
また、第１視方向と第２視方向にそれぞれ異なる画像を判別可能に表示する２画面液晶
表示パネルでは、スリットを有する遮光層を用いているが、このスリットを有する遮光層
に起因する光学的なクロストークも発生する。この光学的なクロストークの原因は、隣接
画素の同色のサブ画素からの光が遮光層のスリットの周縁で回折して起こる光漏れによる
ものである。このために、設計者は予め被補正サブ画素の各階調と隣接画素の同色のサブ
画素の各階調の全組み合わせの補正データを実験で求めて光学的なＬＵＴを作成して液晶
表示装置のＥＥＰＲＯＭなどに記憶させておく。液晶表示装置は、補正サブ画素の階調と
隣接画素の同色のサブ画素の階調に対応する補正データを光学ＬＵＴから読み取って、こ
れを補正サブ画素の階調に加算して液晶表示パネルに出力する。
【先行技術文献】
【特許文献】
【０００６】
【特許文献１】特開２００８−２０５７４号公報
【発明の概要】
【発明が解決しようとする課題】
【０００７】
このように、電気的なクロストークは隣接するサブ画素の階調に基づいて補正され、光
学的なクロストークは隣接画素の同色のサブ画素の階調に基づいて補正されるために、電
気ＬＵＴと光学ＬＵＴは別々のＬＵＴとして実験で求める必要があった。しかしながら、
一つのサブ画素に電気的なクロストークと光学的なクロストークが発生するために、実験
でそれぞれのクロストーク量をサブ画素のＲＧＢ別に分離して求めることは困難であった
。そこで、電気的なクロストークの補正データと光学的なクロストークの補正データをサ
ブ画素のＲＧＢ別に分離して求める方法が要望されている。
【０００８】
また、電気ＬＵＴと光学ＬＵＴは補正データを０にする階調の基準をどこにするかによ
り、複種類のＬＵＴがある。例えば、図９Ａは白基準の電気ＬＵＴであり、隣接サブ画素
の階調が白の６３階調のときを補正データ０としたものである。また、図９Ｂは自身基準
の電気ＬＵＴであり、両方の階調が等しいときを補正データ０としたものである。更に、
図９Ｃは黒基準の電気ＬＵＴであり、隣接サブ画素の階調が黒の０階調のときを補正デー
タ０としたものである。このように、２画面表示用の液晶表示パネルには複種類のＬＵＴ
があるが、いずれの種類のＬＵＴに対しても同一の電気的なクロストークの補正データと
光学的なクロストークの補正データを分離する方法を適用できるようにすることが望まし
い。
【０００９】
本発明は、このような従来技術の問題点を解決すべくなされたものである。すなわち、
本発明の目的は、電気的なクロストークの補正データと光学的なクロストークの補正デー
タをサブ画素のＲＧＢ別に分離して、容易に電気ＬＵＴと光学ＬＵＴを取得することがで
き、更に、補正データを０にする階調の基準が異なってもその分離方法を適用することが
できるクロストーク補正テーブル取得装置を提供することにある。
【課題を解決するための手段】
【００１０】
上記目的を達成するため、本発明のクロストーク補正テーブル取得装置は、ＲＧＢ３つ
で一つの画素を構成するサブ画素が交互に隣接した第１画像と第２画像をスリットの遮光
により夫々異なる視方向に判別可能に表示する液晶表示パネルに生じる電気的なクロスト
ークと光学的なクロストークを補正するために、補正対象のサブ画素の階調と隣接サブ画
素の階調に対応した補正データからなる電気補正テーブルと、補正対象のサブ画素の階調
と隣接画素の同色のサブ画素に対応した補正データからなる光学補正テーブルが設けられ
、補正対象のサブ画素の階調に前記電気補正テーブルの補正データに基づく階調と前記光
学補正テーブルの補正データに基づく階調が加算されることによりクロストーク補正を行
うクロストーク補正部の前記電気補正テーブルと前記光学補正テーブルを取得するクロス
トーク補正テーブル取得装置において、補正データを０とする階調の基準値をそれぞれの
補正対象のサブ画素の階調に対して隣接サブ画素の階調と隣接画素の同色のサブ画素の階
調に設定し、補正対象のサブ画素の光学特性がこの基準値のときの光学特性との誤差が小
さくなるように階調が補正される前記電気補正テーブルおよび前記光学補正テーブルであ
って、補正対象のサブ画素が前記第１画像であるとき、前記液晶表示パネルに表示された
前記第１画像の光学特性を測定する光学測定器と、該光学測定器で測定される前記液晶表
示パネルの領域内の前記第２画像のＲＧＢ３色のサブ画素の階調中１色のみのサブ画素の
階調を前記基準値以外で表示させる制御部を備えたことを特徴とする。
【００１１】
本発明のクロストーク補正テーブル取得装置によれば、このように、第２画像のＲＧＢ
３色のサブ画素の階調中１色のみのサブ画素の階調を前記基準値以外で表示させることに
より、他の２色のサブ画素による補正データは０でよいので、図１３、図１４に示すよう
に、基準値以外の１色を隣接サブ画素とする色の第１画像のサブ画素は電気的な補正とな
り、基準値以外の１色を隣接画素の同色サブ画素とする色の第１画像のサブ画素は光学的
な補正となって、電気的なクロストークの補正データと光学的なクロストークの補正デー
タをサブ画素のＲＧＢ別に分離することができる。また、補正データが０である基準値に
基づく方法であるので、本発明を、自身基準、白基準、黒基準など複種類のＬＵＴに適用
することができる。
【００１２】
また、本発明のクロストーク補正テーブル取得装置においては、前記補正対象のサブ画
素の階調がｉ１で前記隣接サブ画素の階調と前記隣接画素の同色のサブ画素の階調がｉ２
であるときの前記電気補正テーブルの補正データＨ１（ｉ１、ｉ２）と前記光学補正テー
ブルの補正データＨ２（ｉ１、ｉ２）を取得するとき、前記光学測定器が測定する領域内
の、前記第１画像のＲＧＢ全サブ画素の階調がｉ１で、前記第２画像のＲＧＢ全サブ画素
の階調が前記第１画像の階調ｉ１に対応する前記基準値Ｂ（ｉ１）のときの前記第１画像
の輝度を標準輝度ｋ１（ｉ１）として、また、そのときの前記第１画像のｕ'ｖ'色度座標
を標準ｕ'ｖ'色度座標ｕ'（ｉ１）、ｖ'（ｉ１）として記憶する記憶回路を備え、
前記制御部は、前記第２画像のＲＧＢ全サブ画素の階調をｉ２にさせ、第１画像のサブ
画素の階調をＲＧＢ全て同じ値ｈで変化させることにより前記第１画像の輝度が前記標準
輝度ｋ１（ｉ１）に最も近い第１画像の輝度となる補正データｈを求め、この補正データ
ｈを前記電気補正テーブルの補正データＨ１（ｉ１、ｉ２）と前記光学補正テーブルの補
正データＨ２（ｉ１、ｉ２）の合計とし、前記制御部は、前記第２画像のＲＧＢ３色中１
色のサブ画素の階調をｉ２にさせ、残りの２色のサブ画素の階調を前記基準値Ｂ（ｉ１）
にさせ、前記階調ｉ２のサブ画素が隣接サブ画素となる第１画像のサブ画素の階調をｈ１
変化させ、且つ、前記階調ｉ２のサブ画素が隣接画素の同色サブ画素となる第１画像のサ
ブ画素の階調をｈ−ｈ１＝ｈ２変化させることにより前記第１画像のｕ'ｖ'色度座標が前
記標準ｕ'ｖ'色度座標ｕ'（ｉ１）、ｖ'（ｉ１）に最も近い第１画像の輝度となるｈ１と
ｈ２を求めて、ｈ１を前記電気補正テーブルの補正データＨ１（ｉ１、ｉ２）とし、ｈ２
を前記光学補正テーブルの補正データＨ２（ｉ１、ｉ２）として前記記憶回路に記憶させ
るものであることが好ましい。
【００１３】
本発明のクロストーク補正テーブル取得装置によれば、電気補正テーブルの補正データ
と前記光学補正テーブルの補正データの合計を条件に階調を変更させるので、階調の変更
回数が少なくなり、効率良く電気補正テーブルの補正データと前記光学補正テーブルの補
正データを取得することができる。
【００１４】
また、本発明のクロストーク補正テーブル取得装置においては、前記補正データを０に
する基準値は隣接サブ画素及び隣接画素の同色サブ画素が白表示となる階調であることが
好ましい。
【００１５】
本発明のクロストーク補正テーブル取得装置によれば、ＬＵＴは白基準であるので、補
正値に負は無い。即ち、補正値の最小値は０であるので、実験で仮の補正の初期値を０か
らスタートしてインクリメントさせながら最適な光学特性となる補正値を求めればよい。
これに対して、自身基準では補正値は正負の両方があるために、補正値の最小値が未定で
ある。したがって、実験で最適な光学特性となる補正値を求めるときは、非常に大きな仮
の補正値を設定するか、あるいはインクリメントとデクリメントの両方を行わなければな
らず、補正テーブルを取得するために多くの時間を消費する。このように、白基準にすれ
ば短時間で補正テーブルを取得することができる。また、自身基準のＬＵＴと比較して階
調の差が目立つ輝度が低い部分の階調を広く補正することができるようになる。なお、輝
度が高い部分にわずか補正できない領域があるが、ここは輝度が高いために輝度の誤差が
目立ち難くなる。
【００１６】
また、本発明のクロストーク補正テーブル取得装置においては、前記補正データを０に
する基準値は隣接サブ画素及び隣接画素の同色サブ画素の階調と補正対象のサブ画素の階
調が同じになる階調であることが好ましい。
【００１７】
本発明のクロストーク補正テーブル取得装置によれば、ＬＵＴは自身基準であるので、
コントラストが高くなるよう補正することができるようになる。
【図面の簡単な説明】
【００１８】
【図１】本実施形態に係るクロストーク補正テーブル取得装置の概要を示すブロック図である。
【図２】図１の液晶表示パネルの画素配列を示す図である。
【図３】図３Ａは２画面の画像分離の原理を示す断面図であり、図３Ｂはスリットを示す平面図である。
【図４】２画面の合成を示す図である。
【図５】図５Ａは４フレームを１周期とするＦＲＣの補正データを示す表であり、図５Ｂはそのサブ画素配置の例を示す図である。
【図６】図６Ａはクロストークの発生を示す図であり、図６Ｂはクロストークの発生を示す断面図である。
【図７】図１の液晶表示パネルが組み込まれる２画面表示装置のクロストーク補正部を示すブロック図である。
【図８】図８Ａは図７の電気ＬＵＴを示す表であり、図８Ｂは図７の光学ＬＵＴを示す表である。
【図９】図９Ａは白基準の電気ＬＵＴを示す図であり、図９Ｂは自身基準の電気ＬＵＴを示す図であり、図９Ｃは黒基準の電気ＬＵＴを示す図である。
【図１０】ＬＵＴの取得例を示すフローチャートである。
【図１１】図１０のサブルーチンであるステップＳ１２の詳細を示すフローチャートである。
【図１２】図１０のサブルーチンであるステップＳ１３の詳細を示すフローチャートである。
【図１３】図１３Ａは図１１のステップＳ２１の補足説明の図であり、図１３Ｂは図１２のステップＳ３１の補足説明の図である。
【図１４】図１４Ａは図１３Ａに対応する自身基準の図であり、図１４Ｂは図１３Ｂに対応する自身基準の図である。
【発明を実施するための形態】
【００１９】
以下、実施形態及び図面を参照にして本発明を実施するための形態を説明するが、以下
に示す実施形態は、本発明をここに記載したものに限定することを意図するものではなく
、本発明は特許請求の範囲に示した技術思想を逸脱することなく種々の変更を行ったもの
にも均しく適用し得るものである。なお、この明細書における説明のために用いられた各
図面においては、各層や各部材を図面上で認識可能な程度の大きさとするため、各層や各
部材毎に縮尺を異ならせて表示しており、必ずしも実際の寸法に比例して表示されている
ものではない。
【００２０】
本実施形態のクロストーク補正テーブル取得装置１０は、液晶モジュール１１中の液晶
表示パネル１２に表示される画像の光学特性を測定して電気ＬＵＴと光学ＬＵＴを取得す
るための装置である。図１に示すように、液晶モジュール１１は液晶表示パネル１２の背
面から光を照射するバックライト１３を有している。クロストーク補正テーブル取得装置
１０は、各部を制御する制御部１４と、制御部１４が動作するプログラムや制御部１４の
動作に必要なデータを記憶する記憶回路１５と、制御部１４から出力された例えばＤＶＩ
（Digital Visual Interface）規格の画像信号を液晶表示パネル１２に適合する信号に変
換する画像処理回路１６と、バックライト１３を駆動するバックライト駆動回路１７と、
液晶表示パネル１２に表示された画像の輝度や色度などの光学特性を測定する光学測定器
１８と、制御部１４の例えばＵＳＢポートと光学測定器１８のＲＳ２３２Ｃインターフェ
ースを相互に変換するＩＦ（インターフェース）１９を有している。
【００２１】
次に、光学特性が測定される液晶表示パネル１２について説明する。図２は液晶表示パ
ネル１２の画素を示す図である。この液晶表示パネル１２は、例えばカラーのＷＶＧＡ規
格のものであるなら、行方向（横方向）に８００画素、列方向（縦方向）に４８０画素有
している。１画素は光の３原色であるＲ（赤）・Ｇ（緑）・Ｂ（青）の３つのサブ画素か
らなっている。２画面液晶表示パネル１２は、図３Ａに示すように、カラーフィルタ層２
０の表示面側（図３Ａの上側）に遮光層２１を有している。この遮光層２１には、図３Ｂ
に示すように、例えば市松模様状にスリット２２が形成されている。
【００２２】
この２画面液晶表示パネル１２は、図３Ａに示すように、サブ画素の市松模様の一方が
使用者から見て右方向（右ハンドル車の運転席方向）からのみ視認することができ、他方
が左方向（右ハンドル車の助手席方向）からのみ視認することができる。例えば、右方向
ではナビゲーション画面を視認し、左方向はＤＶＤ画面を視認することができるようにな
っている。
【００２３】
２画面液晶表示パネル１２に入力される画像は合成画像であり、その画像は、図４に示
すように、例えば８００画素×４８０画素の右視方向の画像と８００画素×４８０画素の
左視方向の画像をサブ画素の市松模様に取捨選択して、１つの８００画素×４８０画素の
画像を合成する。入力画像のサブ画素の階調データは６ビットであり、Ｒ・Ｇ・Ｂのそれ
ぞれの輝度は０階調〜６３階調の６４種類となる。液晶表示パネル１の輝度の駆動制御は
１階調単位である。即ち、整数でない階調を指定することはできない。しかしながら、１
画面（８００画素×４８０画素）の周期、即ちフレーム周期は６０Ｈｚと速いことから、
残像を利用し、図５Ａに示すように、４フレームを１周期として、１周期中に１階調増加
させるフレームを１つにした、０．２５階調単位のＦＲＣ（Frame Rate Control）を行う
。例えば、１．７５階調の期間中は、１周期の４フレーム中、１フレームを１階調にし、
残り３フレームを２階調にすれば、残像により１．７５階調に見えることとなる。また、
フリッカを低減させるために、図５Ｂに示すように、１階調増加させるサブ画素の位置を
フレームの位置を変えて点在させる。
【００２４】
図４のように異なる画像が隣接すると、隣接サブ画素に異なる階調の電圧が印加されて
電気的なクロストークが発生し易くなる。例えば、図６Ａに示すように、左視方向の画像
が中間調グレーべたに中央が黒で、右視方向の画像が中間調グレーべたのときは、右視方
向の画像の中央が電気的なクロストークによって電圧が変動してしまうので少し濃い中間
調グレーになって表示される。電気的なクロストークは上述の合成画像に限らず、隣接サ
ブ画素の階調が異なるときに発生するが、特に、合成画像では異なる画像のサブ画素が隣
接するために非常に大きなクロストークとなる。このために、２画面液晶表示パネル１２
では電気的なクロストークの補正が必要である。また、図６Ｂに示すように、遮光層２１
のスリット２２の周縁で光の回折が生じて、隣接画素の同色のサブ画素からの光が漏れる
。この光学的なクロストークの補正も必要である。
【００２５】
図７はこれらの電気的なクロストークの補正と光学的なクロストークの補正を行うクロ
ストーク補正部を備えた２画面表示装置３０を示すブロック図である。図７において、実
線は２画面表示装置３０を示し、破線は２画面表示装置３０が組み込まれるナビゲーショ
ン装置５０を示す。２画面表示装置３０は、液晶表示パネル１２と、ナビゲーション装置
５０からの２つのソース画像（ナビゲーション画像、ＤＶＤ画像）を２画面合成処理とク
ロストーク補正し液晶表示パネル１２に出力する信号処理回路３１と、信号処理回路３１
の動作に必要な種々のデータを記憶するＥＥＰＲＯＭ３２と、液晶表示パネル１２に電源
を供給する電源供給回路３３を備えている。
【００２６】
信号処理回路３１は、２つのソース画像を合成する２画面合成部３４と、クロストーク
補正を行うクロストーク補正部３５と、クロストーク補正部３５で補正された信号を液晶
表示パネル１２で表示できるように極性やタイミングを制御する出力信号生成部３６と、
ＥＥＰＲＯＭ３２の入出力を制御するＥＥＰＲＯＭコントローラー３７を備えている。
【００２７】
クロストーク補正部３５は、前処理部３８と電気補正部３９と光学補正部４０と演算部
４１を備えている。前処理部３８は２画面合成部３４からの画像信号から必要なデータを
電気補正部３９と光学補正部４０と演算部４１に送出する。電気補正部３９はＥＥＰＲＯ
Ｍコントローラー３７からの電気補正テーブル（電気ＬＵＴ）（図８Ａ参照）を記憶する
電気ＬＵＴ４２を有し、前処理部３８から補正対象のサブ画素データと右隣のサブ画素デ
ータを入力して電気ＬＵＴ４２の電気補正テーブルから電気的な補正データを抽出する。
光学補正部４０はＥＥＰＲＯＭコントローラー３７からの光学補正テーブル（光学ＬＵＴ
）（図８Ｂ参照）を記憶する光学ＬＵＴ４３を有し、前処理部３８から補正対象のサブ画
素データと右隣の画素の同色サブ画素データを入力して光学ＬＵＴ４３の光学補正テーブ
ルから光学的な補正データを抽出する。演算部４１は前処理部３８からの補正対象のサブ
画素データに、電気補正部３９が抽出した電気的な補正データと、光学補正部４０が抽出
した光学的な補正データを加算する。
【００２８】
ＥＥＰＲＯＭ３２には、図８Ａに示す電気補正テーブルと図８Ｂに示す光学補正テーブ
ルが記憶されている。電気補正テーブルには補正対象のサブ画素の全ての階調に対する全
ての隣接サブ画素の階調の電気的な補正データが記憶され、光学補正テーブルには補正対
象のサブ画素の全ての階調に対する隣接画素の同色サブ画素の全ての階調の光学的な補正
データが記憶されている。この補正データは実験で求められた値である。ナビゲーション
装置５０の電源スイッチ（不図示）がＯＮにされると、ＥＥＰＲＯＭコントローラー３７
はＥＥＰＲＯＭ３２の電気補正テーブルを電気ＬＵＴ４２に転送し、光学補正テーブルを
光学ＬＵＴ４３に転送する。
【００２９】
電気補正テーブルと光学補正テーブルは補正データを０にする階調の基準をどこにする
かにより、複種類のＬＵＴがある。例えば、図９Ａは白基準の電気ＬＵＴであり、隣接サ
ブ画素の階調が白の６３階調のときを補正データ０とし、図９Ｂは自身基準の電気ＬＵＴ
であり、両方の階調が等しいときを補正データ０とし、図９Ｃは黒基準の電気ＬＵＴであ
り、隣接サブ画素の階調が黒の０階調のときを補正データ０とする。本実施形態では電気
補正テーブルと光学補正テーブル共に白基準である。白基準のＬＵＴは自身基準のＬＵＴ
と比較して階調の差が目立つ輝度が低い部分の階調を広く補正することができる。なお、
輝度が高い部分にわずか補正できない領域があるが、ここは輝度が高いために輝度の誤差
が目立ちにくい。また、自身基準のＬＵＴはコントラストが高いという長所がある。
【００３０】
上述の構成における２画面表示装置３０の画像処理について説明する。図７に示すよう
に、２画面合成部３４は、ナビゲーション装置５０のナビゲーション部５１から入力され
る８００画素×４８０画素のナビゲーション画像とＤＶＤ再生部５２から入力される８０
０画素×４８０画素のＤＶＤ再生画像をサブ画素の市松模様に取捨選択して、１つの８０
０画素×４８０画素の画像を合成する。クロストーク補正部３５の前処理部３８は２画面
合成部３４から入力された合成画像より補正対象のサブ画素データ（６ビットの階調デー
タ）を電気補正部３９と光学補正部４０に出力し、右隣のサブ画素データを電気補正部３
９に出力する。電気補正部３９は電気ＬＵＴ４２の電気補正テーブルを用いて、入力され
た補正対象のサブ画素データと右隣のサブ画素データの電気的な補正データを抽出する。
光学補正部４０は光学ＬＵＴ４３の光学補正テーブルを用いて、入力された補正対象のサ
ブ画素データと右隣の画素の同色サブ画素データの光学的な補正データを抽出する。演算
部４１は前処理部３８からの補正対象のサブ画素に、電気補正部３９が抽出した電気的な
補正データと、光学補正部４０が抽出した光学的な補正データとを加算する。
【００３１】
上述のように、ＥＥＰＲＯＭ３２には、電気的なクロストーク補正を行うための電気Ｌ
ＵＴと、光学的なクロストーク補正を行うための光学ＬＵＴが予め記憶されている。この
電気ＬＵＴと光学ＬＵＴを実験で取得する方法について説明する。図１０は図１の制御部
１４の動作、すなわち、記憶回路１５に記憶されているプログラムを制御部１４が実行す
る内容を示すフローチャートである。制御部１４は、予め内部のレジスタ（図示せず）に
変数の定義（図１０の右上欄参照）を行う（ステップＳ１０）。
【００３２】
ここでは、赤色の階調の配列変数Ｒ（０）を０、Ｒ（１）を１、・・・Ｒ（ｎ）をｎ、
・・・Ｒ（６３）を６３と定義し、緑色の階調の配列変数Ｇ（０）を０、Ｇ（１）を１、
・・・Ｇ（ｎ）をｎ、・・・Ｇ（６３）を６３と定義し、青色の階調の配列変数Ｂ（０）
を０、Ｂ（１）を１、・・・Ｂ（ｎ）をｎ、・・・Ｂ（６３）を６３と定義する。また、
非視角側の階調が基準の６３階調（補正データが０）で視角側の階調がｉ１のときの標準
輝度の配列変数をｋ１（ｉ１）と定義し、光学測定器１８によってクロストークを含む状
態で測定された輝度をｋ２と定義する。また、測定された輝度と標準輝度との更新前の誤
差率をＷＦ１と定義し、更新後の誤差率をＷＦ２と定義する。また、仮の複合補正データ
（複合補正データとは電気的な補正データと光学的な補正データを加えたものである。）
の変数をｈと定義し、仮の電気的な補正データをｈ１と定義し、仮の光学的な補正データ
をｈ２と定義する。
【００３３】
更に、それぞれの階調と非視角側の（隣接の）それぞれの階調のときの電気的な補正デ
ータの配列変数をＨ１（０，０）〜Ｈ１（６３，６３）と定義し、それぞれの階調と非視
角側の（隣接の）それぞれの階調のときの光学的な補正データの配列変数をＨ２（０，０
）〜Ｈ２（６３，６３）と定義する。また、非視角側の階調が基準の６３階調（補正デー
タが０）で視角側の階調がｉ１のときの標準ｕ'ｖ'色度座標の配列変数をｕ１'（ｉ１）
，ｖ１'（ｉ１）と定義し、光学測定器１８によってクロストークを含む状態で測定され
たｕ'ｖ'色度座標をｕ２'ｖ２'と定義し、測定されたｕ'ｖ'色度座標と標準ｕ'ｖ'色度座
標との更新前の距離をＤ１と定義し、測定されたｕ'ｖ'色度座標と標準ｕ'ｖ'色度座標と
の更新後の距離をＤ２と定義する。なお、補正データが０となる非視角側の階調が基準の
６３階調のときのそれぞれの視角側の階調ｉ１の標準輝度ｋ（ｉ１）と、標準ｕ'ｖ'色度
座標ｕ１'（ｉ１），ｖ１'（ｉ１）はあらかじめ測定されて記憶回路１５に記憶されてい
る。
【００３４】
制御部１４は、階調のループ用変数ｉ１の初期値を初期値０に設定し、非視角側の階調
のループ用変数ｉ２の初期値を初期値０に設定する（ステップＳ１１）。そして、電気的
な補正データと光学的な補正データの合計である複合補正データの取得処理を行う（ステ
ップＳ１２）。次いで、電気的な補正データと光学的な補正データの取得処理を行う（ス
テップＳ１３）。制御部１４は、ステップＳ１３の処理後、非視角側の階調を示すループ
用の変数ｉ２が最終階調の６３になるまで、ｉ２を１ずつインクリメントさせて、ステッ
プＳ１２〜ステップＳ１５を繰り返す。ループ用の変数ｉ２が最終階調の６３になると（
ステップＳ１４のＹ）、制御部１４は、視角側の階調を示すループ用の変数ｉ１が最終階
調の６３になるまで、ｉ１を１ずつインクリメントさせるとともにループ用の変数ｉ２を
０に戻し、ステップＳ１２〜ステップＳ１７を繰り返す。制御部１４は、ループ用の変数
ｉ１が最終階調の６３になると（ステップＳ１６のＹ）処理を終了する。
【００３５】
図１１は図１０のステップＳ１２である複合補正データの取得処理のサブルーチンであ
る。制御部１４は、仮の複合補正データの変数ｈを最小の０に設定し、測定された輝度と
標準輝度との更新前の誤差率の変数ＷＦ１を最大の１に設定する（ステップＳ２０）。そ
して、制御部１４は、少なくとも光学測定領域すべての視角側のサブ画素の階調をＲ（ｉ
１＋ｈ），Ｇ（ｉ１＋ｈ），Ｂ（ｉ１＋ｈ）で、非視角側のサブ画素の階調をＲ（ｉ２）
，Ｇ（ｉ２），Ｂ（ｉ２）で表示させる（ステップＳ２１）。図１３ＡはステップＳ２１
の表示状態を示す図である。図１３Ａに示すように、視角側のＲＧＢ全てのサブ画素には
非視角側のサブ画素の階調ｉ２に対応する電気的なクロストーク補正と光学的なクロスト
ーク補正を必要とする。
【００３６】
制御部１４は、この表示の輝度測定データを光学測定器１８によって計測された値を変
数ｋとし（ステップＳ２２）、この階調のときの標準輝度の配列関数ｋ１（ｉ１）との誤
差率ＷＦ２＝ａｂｓ（（ｋ１（ｉ１）−ｋ）／ｋ１（ｉ１））を計算する（ステップＳ２
３）。制御部１４は、この誤差率が最低になるまで、視角側のサブ画素の階調をＦＲＣの
最小単位である０．２５階調ずつインクリメントさせて、誤差率が最低になったときの補
正データｈを求める（ステップＳ２４〜Ｓ２７）。
【００３７】
詳しくは、制御部１４は、ステップＳ２３で計算した誤差率ＷＦ２が更新前の誤差率Ｗ
Ｆ１よりも小さければ（ステップＳ２４のＮ）、まだ誤差が最低になる補正データがある
として誤差率ＷＦ１を誤差率ＷＦ２に更新したうえで仮の誤差率ｈを０．２５加算する（
ステップＳ２５）。そして、ｉ１＋ｈが最大の６３を超えていなければ（ステップＳ２６
のＮ）、ステップＳ２１に戻る。制御部１４は、ステップＳ２３で計算した誤差率ＷＦ２
が更新前の誤差率ＷＦ１以上であれば（ステップＳ２４のＹ）、１つ前のループの補正デ
ータのときに誤差率ＷＦ２が最低であったとして、現在の補正データｈを０．２５減算す
る（ステップＳ２７）。この補正データｈは電気的な補正データと光学的な補正データの
合計である。また、制御部１４は、ｉ１＋ｈが最大の６３を超えれば、異常状態になった
ものとして、ループから抜けるためにステップＳ２７に進む。図１３Ａに示すように、ス
テップＳ２７で求められた補正データｈは視角側のサブ画素の階調がｉ１で非視角側のサ
ブ画素がｉ２のときの電気的な補正データと光学的な補正データを合わせたものである。
【００３８】
図１２は図１０のステップＳ１３である個々の補正データの取得処理のサブルーチンで
ある。制御部１４は、仮の電気的な補正データｈ１をステップＳ２７で求めた仮の複合補
正データの変数ｈに設定し、仮の光学的補正データｈ２を０に設定し、測定されたｕ'ｖ'
色度座標と標準ｕ'ｖ'色度座標との更新前の距離Ｄ１を大きな値１０に設定する（ステッ
プＳ３０）。そして、制御部１４は、少なくとも光学測定領域すべての視角側のサブ画素
の階調をＲ（ｉ１），Ｇ（ｉ１＋ｈ１），Ｂ（ｉ１＋ｈ２）で、非視角側のサブ画素の階
調をＲ（６３），Ｇ（６３），Ｂ（ｉ２）で表示させる（ステップＳ３１）。図１３Ｂは
ステップＳ３１の表示状態を示す図である。本ＬＵＴは白基準であるために、非視角側の
サブ画素の階調が６３の白表示のときには補正データは０である。したがって、図１３Ｂ
に示すように、非視角側のＢのサブ画素を隣接サブ画素とする視角側のＧのサブ画素のみ
電気的なクロストーク補正を必要とし、視角側のＢのサブ画素のみ光学的なクロストーク
補正を必要とする。
【００３９】
制御部１４は、この表示のｕ'ｖ'色度座標を光学測定器１７によって計測された値を変
数ｋとし（ステップＳ３２）、標準ｕ'ｖ'色度座標までの距離Ｄ２＝（（ｕ２'−ｕ１'（
ｉ１））＾２+（ｖ２'−ｖ１'（ｉ１））＾２）＾０．５を計算する（ステップＳ３３）
。制御部１４は、この距離Ｄ２が最低になるまで、仮の電気的な補正データｈ１をＦＲＣ
の最小単位である０．２５階調ずつデクリメントさせるともに、仮の光学的な補正データ
ｈ２をＦＲＣの最小単位である０．２５階調ずつインクリメントさせて距離Ｄ２が最低に
なったときの仮の電気的な補正データｈ１と仮の光学的な補正データｈ２を求める（ステ
ップＳ３１〜Ｓ３６）。
【００４０】
詳しくは、制御部１４は、ステップＳ３３で計算した距離Ｄ２が更新前の距離Ｄ１以上
でなければ（ステップＳ３４のＮ）、まだ距離が最低になる補正データがあるとして距離
Ｄ１を距離Ｄ２に更新したうえで仮の電気的な補正データｈ１を０．２５階調減算すると
ともに、仮の光学的な補正データｈ２を０．２５階調加算させる（ステップＳ３５）。そ
して、変数ｈ１が負でなければ（ステップＳ３６のＮ）、ステップＳ３１に戻る。制御部
１４は、ステップＳ３３で計算した距離Ｄ２が更新前の距離Ｄ１以上であれば（ステップ
Ｓ３４のＹ）、１つ前のループの補正データのときに距離Ｄ２が最低であったとして、仮
の電気的な補正データｈ１を０．２５階調加算したものを電気ＬＵＴの補正データとして
記憶回路に記憶させ、仮の光学的な補正データｈ２を０．２５階調減算したものを光学Ｌ
ＵＴの補正データとして記憶回路に記憶させる（ステップＳ３７）。また、制御部１４は
、変数ｈ１が負であれば（ステップＳ３６のＹ）、異常状態になったものとして、ループ
から抜けるためにステップＳ３７に進む。
【００４１】
このように、本発明はステップＳ１２で、電気ＬＵＴの補正データと光学ＬＵＴの補正
データの合計を求め、ステップＳ１３で、非視角側のＲＧＢ３色のサブ画素の階調中１色
のみのサブ画素の階調を補正データ０以外の階調で表示させることにより、補正すべき電
気的なサブ画素と補正すべき光学的なサブ画素をＲＧＢ別に分離させ、電気ＬＵＴの補正
データと光学ＬＵＴの補正データの合計値を条件階調を変化させて、電気ＬＵＴの補正デ
ータと光学ＬＵＴの補正データを取得するので、少ない階調の変化で容易に電気ＬＵＴの
補正データと光学ＬＵＴの補正データをえることができる。また、ＬＵＴは多くの補正デ
ータを有しているが、プログラムによって補正データの取得動作を行うために、自動化が
でき、人的な労力を削減することができる。なお、ＬＵＴは白基準であるので、補正値に
負は無い。即ち、補正値の最小値は０であるので、ステップＳ２０やステップＳ３０のよ
うに、実験で仮の補正の初期値を０からスタートしてインクリメントさせながら最適な光
学特性となる補正値を求めればよい。これに対して、自身基準では補正値は正負の両方が
あるために、補正値の最小値が未定である。したがって、実験で最適な光学特性となる補
正値を求めるときは、非常に大きな仮の補正値を設定するか、あるいはインクリメントと
デクリメントの両方を行わなければならず、補正テーブルを取得するために多くの時間を
消費する。このように、白基準にすれば短時間で補正テーブルを取得することができる。
【００４２】
なお、上述のＬＵＴは白基準であったが、白基準での６３階調を０階調にすることで、
本発明を容易に黒基準に適用することができる。また、自身基準にも適用することができ
る。図１４Ａは白基準の図１３Ａに対応する自身基準の図であり、図１４Ｂは白基準の図
１３Ｂに対応する自身基準の図である。１３Ｂのように、自身基準では視角側と非視角側
の階調が等しいときに補正データが０であるので、非視角側のＲＧＢの内２色のみを視角
側と同じ階調ｉ１にすればよい。
【符号の説明】
【００４３】
１０：光学測定システム  １１：液晶モジュール  １２：液晶表示パネル  １３：バッ
クライト  １４：制御部  １５：記憶回路  １６：画像処理回路  １７：バックライト駆
動回路  １８：光学測定器  １９：ＩＦ  ２０：カラーフィルタ層  ２１：遮光層  ２２
：スリット  ３０：２画面表示装置  ３１：信号処理回路  ３２：ＥＥＰＲＯＭ  ３３：
電源供給回路  ３４：２画面合成部  ３５：クロストーク補正部  ３６：出力信号生成部
３７：ＥＥＰＲＯＭコントローラ  ３８：前処理部  ３９：電気補正部  ４０：光学補
正部  ４１：演算部  ４２：電気ＬＵＴ  ４３：光学ＬＵＴ  ５０：ナビゲーション装置
５１：ナビゲーション部  ５２：ＤＶＤ再生部
【図１】
2010197926.tif 000003
【図２】
2010197926.tif 000004
【図３】
2010197926.tif 000005
【図４】
2010197926.tif 000006
【図５】
2010197926.tif 000007
【図６】
2010197926.tif 000008
【図７】
2010197926.tif 000009
【図８】
2010197926.tif 000010
【図９】
2010197926.tif 000011
【図１０】
2010197926.tif 000012
【図１１】
2010197926.tif 000013
【図１２】
2010197926.tif 000014
【図１３】
2010197926.tif 000015
【図１４】
2010197926.tif 000016